(57)【要約】      （修正有）【課題】横走りの配管に傾斜を持たせる際に、吊ボルトを予め切断する作業を不要とする。また、吊ボルトにタンバックルを取り付ける際に、ねじ込む作業を不要とするタンバックルを提供する。【解決手段】吊ボルト２０を接続する吊ボルト接続部１１を備えた頭部材１と、吊バンドを係止する脚部材３，３と、頭部材１と脚部材３，３とを接続する一対の胴部材２，２とを備えたタンバックル１０において、一対の胴部材２，２の間に、吊ボルト接続部１１から取り込んだ吊ボルト２０の長さを調整するための縦長の空間を設けた。【選択図】図１
0003170595.tif 000002
【実用新案登録請求の範囲】
【請求項１】
吊ボルトを接続する吊ボルト接続部を備えた頭部材と、吊バンドを係止する脚部材と、前記頭部材と脚部材とを接続する一対の胴部材とを備えたタンバックルにおいて、
前記一対の胴部材の間に、前記吊ボルト接続部から取り込んだ吊ボルトの長さを調整するための縦長の空間を設けた、タンバックル。
【請求項２】
前記吊ボルト接続部としてボルト穴を設け、このボルト穴の周囲をテーパー状に落ち込んだ形状とし、当該テーパー状に落ち込んだボルト穴の下端の径は吊ボルトの外径よりも小さく設定し、かつ、当該テーパー状に落ち込んだボルト穴の上端の径は吊ボルトの外径よりも大きく設定した、請求項１に記載のタンバックル。
【考案の詳細な説明】
【技術分野】
【０００１】
本考案は、吊配管金具として知られるタンバックルの改良に関する。
【背景技術】
【０００２】
特開２００７−１９２３４５号公報（特許文献１）の図１乃至図３に、タンバックルが開示されている。タンバックルは、天井スラブから吊り下げられた吊ボルトにねじ込んで取り付けられ、下方には吊バンドを支持する。横走りの配管を支持するために、天井スラブには複数の吊ボルトが配設され、各吊ボルトに個別にタンバックルがねじ込まれる。
【０００３】
横走りの配管に傾斜を与える場合、予め吊ボルトを切断し、隣接する吊ボルトの長さが徐々に長く又は徐々に短くなるように調整しておく。このように長さを調整された吊ボルトの先端にタンバックルを取り付けると、タンバックルの高さおよび吊バンドの高さが徐々に低く又は徐々に高くなるので、吊バンドに支持される横走りの配管に傾斜を与えることができる。
【０００４】
特許文献１に開示されたタンバックルは、ボルト支持部がフック状に形成されているので、吊バンドからボルトを外すことなく、タンバックルに吊バンドを取り付けることができる。
【０００５】
ここで、上記のように横走りの配管に傾斜を持たせるためには、複数の吊ボルトを予め所定の長さに切断しておく必要がある。しかし、吊ボルトの切断位置を１本１本測り、当該金属の棒を１本１本切断し、さらに、各吊ボルトにタンバックルをねじ込んでゆく作業は、時間と労力を要するものであった。
【先行技術文献】
【特許文献】
【０００６】
【特許文献１】特開２００７−１９２３４５号公報
【考案の概要】
【考案が解決しようとする課題】
【０００７】
本考案は、かかる従来例の有する不都合を改善し、横走りの配管に傾斜を持たせる際に、吊ボルトを予め切断する作業を不要とするタンバックルの提供を課題とする。また、吊ボルトにタンバックルを取り付ける際に、ねじ込む作業を不要とする。
【課題を解決するための手段】
【０００８】
この課題を解決するため、本考案では、タンバックルの胴を長くし、胴の部分に吊ボルトを飲み込む縦長の空間を設ける。この縦長の空間の長さは、タンバックルの長さに反映されるが、飲み込む吊ボルトの長さに応じて５ｃｍ〜１５ｃｍ程度に設定してもよい。試作は約１０ｃｍで行った。
【０００９】
また、タンバックルの頭部にある吊ボルトを螺合するためのナットに代えてボルト穴を形成し、このボルト穴の周囲をテーパー状に落ち込む形状とする。そして、当該テーパー状に落ち込んだボルト穴の下端の径は吊ボルトの内径相当とし、当該テーパー状に落ち込むボルト穴の上端の径は吊ボルトの外径よりも大きく設定する。
【００１０】
本考案のタンバックルを吊ボルトに取り付ける際は、頭部のボルト穴から吊ボルトを押し込んで胴に飲み込ませる。頭部のボルト穴は周囲の形状がテーパー状に落ち込んでいる。このため、吊ボルトとタンバックルとの接点には、吊ボルトを押し込み易いが、引き抜きにくい内力を生じる。タンバックルの胴には吊ボルトを飲み込むための縦長の空間を設けているので、吊ボルトを飲み込ませる長さを調整することによって、吊ボルトに取り付けたタンバックルの高さを調整することができる。
【考案の効果】
【００１１】
よって、本考案によれば、横走りの配管に傾斜を持たせる際、吊ボルトを予め切断する作業が不要となる。また、吊ボルトにタンバックルを取り付ける際に、ねじ込む作業が不要となる。
【図面の簡単な説明】
【００１２】
【図１】本考案の実施形態であるタンバックルの構成図。
【図２】図１に示すタンバックルに吊バンドを取り付けた状態を示す図。
【考案を実施するための形態】
【００１３】
以下、本考案の実施形態を説明する。図１に示すタンバックル１０は、吊ボルト２０を受け入れるボルト穴１１が形成された頭部材１と、この頭部材１の両脇から垂れ下がった一対の胴部材２，２とを備えている。この一対の胴部材２，２の下端には、当該一対の胴部材２，２よりも近い距離で対向する一対の脚部材３，３が設けられている。脚部材３，３には、吊バンドのボルトを係止するボルト係止部３１，３１が形成されている。
【００１４】
本実施形態において、頭部材１は、方形の板状に形成されている。吊ボルト２０を受け入れるボルト穴１１は、この頭部材１の中央に形成されている。吊ボルト２０を受け入れるボルト穴１１の周囲は、一対の胴部材２，２の間の空間に向かってテーパー状に落ち込んでいる。テーパー状に落ち込んだボルト穴１１の下端の径は、吊ボルト２０のネジの外径よりも小さく設定されており、好ましくは、吊ボルト２０のネジの内径にほぼ一致させる。一方、テーパー状に落ち込んだボルト穴１１の上端の径は、吊ボルト２０のネジの外径よりも大きく設定する。
【００１５】
また、本実施形態において、胴部材２，２は、タンバックル１０を吊ボルト２０に取り付けたときの鉛直方向を長手方向とした方形の板状に形成されている。この２枚の板の間が吊ボルト２０を飲み込むための空間になっており、頭部材１のボルト穴１１から押し込まれた吊ボルト２０を、胴部材２，２の長手方向に沿って飲み込むようになっている。板状の頭部材１と、同じく板状の一対の胴部材２，２とによって、コの字の外観が形成されている。
【００１６】
対向する胴部材２，２の間の距離は胴部材２，２の下端部において漸減的に近づけられ、当該近づいた下端から、一対の対向する脚部材３，３が板状に延設されている。脚部材３，３に形成されたボルト係止部３１，３１は、フック状に形成されている。本実施形態において、タンバックル１０の全体は、１枚の金属板を曲げ加工することによって形成されている。
【００１７】
図２は、ボルト係止部３１，３１に、吊バンド３０のボルトＢを係止させた状態を示している。この状態でボルトＢのナットを締めることにより、タンバックル１０に吊バンド３０が固定される。
【００１８】
本実施形態のタンバックル１０は、吊ボルト２０を、頭部材１のボルト穴１１に押し込むことによって、吊ボルト２０に取り付ける。ボルト穴１１の周囲のテーパー部は、円周を均等に割った複数の位置に切り込みが入れられ、これによりテーパー部は小さな板バネの集合となっている。このため、このボルト穴１１に吊ボルト２０を押し込むと、テーパー部をなす各板バネが押し曲げられ、吊ボルト２０のネジ山を通過させ、タンバックル１０の胴部材２，２が吊ボルト２０を飲み込んでゆく。
【００１９】
一方、吊ボルト２０に押し込んだタンバックル１０に荷重がかかっても、テーパー部の板バネは容易に変形せず、テーパー状に落ち込んだボルト穴１１の下端と、吊ボルト２０のネジ山との間に生じる内力によって、タンバックル１０は吊ボルト２０に保持される。ただし、一定以上の外力を加えてタンバックル１０を吊ボルト２０から引き抜こうとすれば、テーパー部の板バネの抵抗にかかわらず、タンバックル１０を引き抜くことが可能となっている。
【００２０】
横走りの配管に傾斜を与える場合は、吊ボルト２０を切断して調整するのではなく、胴部材２，２の間に飲み込ませる吊ボルト２０の長さを調整する。これにより、タンバックル１０の取付高さを調整することができ、隣り合うタンバックル１０の高さを徐々に高く又は徐々に低くすれば、吊バンドおよびこれに支持される横走りの配管に傾斜を与えることができる。
【００２１】
以上説明した本実施形態によれば、横走りの配管に傾斜を持たせる際、吊ボルトを予め切断する作業が不要となる。また、吊ボルトにタンバックルを取り付ける際に、ねじ込む作業が不要となる。タンバックルの胴部に吊ボルトを長く取り込む場合、ネジ式だと吊ボルトの取り込みに時間がかかるが、本実施形態のように吊ボルトを押し込む方式だと、吊ボルトの取り込みを速やかに行うことができる。
【００２２】
ここで、本考案は、上記実施形態に限られない。例えば、吊ボルトを接続するボルト穴に代えて、従来のタンバックルに一般的なナットを採用してもよい。また、吊バンドのボルトを係止する係止部はフック状に構成したが、ボルト穴でもよい。また、各部材の形状は問わない。
【符号の説明】
【００２３】
１  頭部材
２  胴部材
３  脚部材
１０  タンバックル
１１  ボルト穴
２０  吊ボルト
３０  吊バンド
３１  ボルト係止部
【図１】
0003170595.tif 000003
【図２】
0003170595.tif 000004